(57)【要約】      （修正有）【課題】栽培用プレートを引寄せて収穫を行う場合に、栽培用プレートの損傷や劣化を低減できる水耕栽培用プランターを提供する。【解決手段】水耕栽培用プランターは、平面形状が略長方形状の養液槽と、当該養液槽上に設置され、当該養液槽の長手方向に並べられた複数の植物を挿入できる開口２１を有する栽培用プレート２と、養液槽の長手方向の一端に設置された栽培用プレート２を挿入したフレーム体３ａと、当該フレーム体３ａに一端が固定され、養液槽の長手方向の他端に届く長さである紐状体４とを有するものである。【選択図】図６
0003207010.tif 000002
【実用新案登録請求の範囲】
【請求項１】
平面形状が略長方形状の養液槽と、
当該養液槽上に設置され、当該養液槽の長手方向に並べられた複数の植物を挿入できる開口を有する栽培用プレートと、
上記養液槽の長手方向の一端に設置された上記栽培用プレートを挿入したフレーム体と、
当該フレーム体に一端が固定され、上記養液槽の長手方向の他端に届く長さである紐状体と、
を有する水耕栽培用プランター。
【請求項２】
上記フレーム体は、４辺のうち、隣接する上記栽培用プレート側が開放されたことを特徴とする水耕栽培用プランター。
【考案の詳細な説明】
【技術分野】
【０００１】
本考案は、水耕栽培用プランターに関するものであり、特に、収穫作業を効率的に行える水耕栽培用プランターに関するものである。
【背景技術】
【０００２】
植物工場等で用いられている水耕栽培用プランターは、作業性や管理性を向上することが大きな課題である。ビジネスとして栽培を行う際には、コスト低減のため、これらを向上することが不可欠である。
【０００３】
例えば、植物を保持する複数の栽培用プレートを列状に配置して植物を栽培するプランターにおいて、列方向の先端側に位置する栽培用プレートに一端が接続されて、列方向に沿って基端側に延びる紐状体を有し、複数の栽培用プレートが列方向に沿って基端側に移動可能に構成されており、紐状体が基端側に引き寄せられることにより、複数の栽培用プレートが列方向に沿って基端側に移動するプランターが提案されている（例えば、特許文献１、特に図４、図５）。
【０００４】
このプランターは、栽培用プレートを順次引寄せることで、栽培した植物を一か所で回収することが可能となり、収穫時の作業効率が大幅に向上する。また、栽培用プレートを上下複数段に配置した場合であっても、高所作業を安全に実施可能であり、さらに、作業スペースを不要にして各列を互いに密に並べることができるため、スペースの利用効率を大きく高めることができる。
【０００５】
ただし、紐状体を基端側に引っ張る力は先端側の栽培用プレートに集中して作用するため、プレートが破損するといった問題もあった。栽培用プレートは、コスト低減の観点、および軽量化による作業性向上の観点から、発砲性樹脂等の脆弱な材質が用いられているので、この問題は容易に起こり得る問題であった。特に、栽培用プレートを引っ張り始める際には、大きな静止摩擦係数に打ち勝つべく、非常に強い力で紐状体を引っ張る必要があり、先端側の栽培用プレートに過大な力が掛かる。そこで、列方向の先端側に位置する栽培用プレートの先端側縁部に着脱可能に装着される装着部材を設けることで、栽培用プレートに掛かる力を分散させることが提案されている（例えば、上記特許文献１、特に０００８段落）
【０００６】
また、レールを設け、栽培用プレートを養液に浮かせることで、摩擦係数を低減することも提案されている（例えば、上記特許文献１、特に００１２〜００１３段落、図１０、図１１）。
【先行技術文献】
【特許文献】
【０００７】
【特許文献１】特開２０１２−１５２１７４
【考案の概要】
【考案が解決しようとする課題】
【０００８】
この紐状体を用いた引寄せ方法は、収穫作業を容易にする等、上記の述べた多くの優れた点がある。一方、栽培用プレートに大きな力が掛かり、栽培用プレートが破損したり、あるいは湾曲したりすることで、栽培用プレートの劣化を早めるといった課題があった。
【０００９】
この課題が生じる要因として、大きくは２つある。
第一の要因は、上述したように、先端側の栽培用プレートの紐状体を固定した部分に大きな力が集中し、その個所が折れたり、栽培用プレート全体が湾曲したりすることである。
第二の要因は、栽培用プレート端部が、隣の栽培用プレートを強い力で押すため、先端側の栽培用プレートだけではなく、他の栽培用プレートも端部を破損したり、栽培用プレート全体が湾曲したりすることである。
【００１０】
これら２つの要因は、すべての栽培用プレートと設置面との総接触面積が大きく、摩擦力、特に静止摩擦力が大きいため、大きな引寄せ力が必要となり、その力により、栽培用プレートに大きな力が掛かることが根本的な要因である。
【００１１】
ただし、栽培用プレートに掛かる力が設置面に対して完全に平行な力であれば、栽培用プレートに対するダメージは小さい。設置面に平行な方向は栽培用プレートの長手方向であり、例えば６０ｃｍ程度の長さがあるため、その方向の耐性は大きい。一方、栽培用プレートの厚みは、最大で２ｃｍ程度である。植物が苗のときに根が養液に届くようにするためである。したがって、この方向に力が掛かると、栽培用プレートは大きなダメージを受けてしまう。例えば、上記の特許文献１においては、紐状体を栽培用プレートの下側に通して引寄せている。この場合には、紐状体は、紐状体を固定した箇所から斜め下方に伸びている。したがって、紐状体を固定した箇所には、斜め下方に紐状体の張力が働く。すなわち、紐状体から栽培用プレートの紐状体を固定した箇所に対して、栽培用プレートに平行な力（圧縮力）と垂直な力（曲げモーメント）が働く。前者は非常に大きな力であるが、すべての栽培用プレートに対する圧縮力として分散するため、紐状体を固定した栽培用プレートに対する影響は軽微である。一方、後者は、力の大きさ自体は前者の力よりもかなり小さいが、紐を固定した箇所のみに曲げモーメントして作用するため、栽培用プレートに大きなダメージを与えてしまう。
【００１２】
先端側の栽培用プレートに設置面に対して垂直な力が掛かると、割れるといった破損が生じない場合でも、浮き上がったり湾曲したりするため、隣の栽培用プレートにも設置面に垂直な力が掛かるので、すべての栽培用プレートがダメージを受けることになる。そして、ダメージにより栽培用プレートが湾曲してしまうと容易には元に戻らないため、隣の栽培用プレートの端部と面が平行に当接しなくなり、隣の栽培用プレートに設置面に垂直な力が掛かるといった悪循環が生じて、すべての栽培用プレートが劣化してしまう。
【００１３】
特許文献１においては、栽培用プレートの先端側縁部に着脱可能に装着される装着部材を設けているが、装着部材の面積分しか力を分散させることができないため。効果は限定的である。また、固定個所に対する垂直な力はやはり生じるため、栽培用プレートの劣化を防止することは困難であった。
なお、紐状体の栽培用プレートに対する固定方法を工夫すれば、曲げモーメントを小さくすることは可能である。例えば、栽培用プレート両側面にそれぞれ紐状体を固定し、その２本の紐状体を引寄せれば、曲げモーメントは働かない。しかし、曲げモーメントの代わりに、せん断力が固定箇所のみに生じるため、やはり、栽培用プレートへのダメージは回避できない。
【００１４】
特に、近年においては、プランターの大型化が進んでいる。プランターを大型にすれば、養液の循環系を一つにすることができるため、プランターの製造コスト低減が可能となり、また、養液管理も容易になるためである。しかし、プランターが大型になれば、栽培用プレートの総面積が増加し、引寄せる際にさらに大きな力が必要となるため、栽培用プレートの先端側縁部に着脱可能に装着される装着部材を設けても、栽培用プレートが破損してしまうことが想定される。
【００１５】
また、レールを設け、栽培用プレートを養液に浮かせることで摩擦係数を低減することは、非常に有効な手段である。しかし、レールを設けることは、別の重大な問題を生じさせる。レールのような凹凸や隙間は、栽培する植物の断片等が溜まりやすく、そこに大量の害虫や細菌が発生しやすくなる。植物工場の管理において、プランターの清掃は大きなコストが掛かるため、プランターは凹凸や隙間がないフラットな形状が望ましい。
【００１６】
本考案は、上記のような問題点を解決するためになされたものであり、引寄せの際に生じる栽培用プレートへのダメージを最小限に抑え、且つ清掃等の余分な管理作業が発生しにくい水耕栽培用プランターを提供するものである。
【課題を解決するための手段】
【００１７】
本考案に係る水耕栽培用プランターは、平面形状が略長方形状の養液槽と、当該養液槽上に設置され、当該養液槽の長手方向に並べられた複数の植物を挿入できる開口を有する栽培用プレートと、上記養液槽の長手方向の一端に設置された上記栽培用プレートを挿入したフレーム体と、当該フレーム体に一端が固定され、上記養液槽の長手方向の他端に届く長さである紐状体とを有する。
【００１８】
本考案に係る水耕栽培用プランターは、上記フレーム体は、４辺のうち、隣接する上記栽培用プレート側が開放されたことを特徴とする。
【考案の効果】
【００１９】
本考案に係る水耕栽培用プランターは上記のように構成されているので、栽培用プレート引寄せる方法を用いて収穫作業を行う従来からの特長に加えて、以下に示す多くの特長を有している。
引き寄せバーを用いる考案においては、第一に、引寄せの際に栽培用プレートに生じる力は圧縮力がほとんどであり、したがって、その力はすべての栽培用プレートに分散し、栽培用プレートへのダメージを抑制することができる。
【００２０】
第二に、従来の構成に引き寄せバーを追加するだけの構成であり、装置コストの上昇はわずかである。
【００２１】
第三に、栽培用プレートに紐状体を固定する必要がないため、収穫作業、栽培パネルの洗浄作業、および栽培パネルの設置作業が容易になる。
【００２２】
フレーム体を用いる考案においては、栽培用プレートに掛かる力をパネル全面で受けることができるため、パネルへのダメージを大幅に低減できる。
また、フレームから簡単に着脱できるので、取り扱いが容易である。
【００２３】
断面形状の上方部分が上に開いた形状である養液槽を用いる考案においては、栽培用プレートを養液に浮かせて引寄せることができるため、小さな力で引寄せ作業を行うことができる。したがって、栽培用プレートの破損や劣化を大きく低減できる。
また、養液槽が凹凸や隙間を有しない形状であるため、害虫の発生といった問題が生じず、清掃や害虫駆除等の管理作業を低減できる。
【図面の簡単な説明】
【００２４】
【図１】本考案に係る水耕栽培用プランターの構成部品を示す図である。
【図２】本考案に係る水耕栽培用プランターの栽培用プレートの使用例である。
【図３】本考案に係る水耕栽培用プランターの全体斜視図である。
【図４】本考案に係る水耕栽培用プランターの引寄せ時の掛かる力の説明図である。
【図５】本考案に係る水耕栽培用プランターの引寄せ用バーと紐状体の取付け位置を示す図である。
【図６】本考案の実施の形態２に係る水耕栽培用プランターの（ａ）フレーム体の斜視図と（ｂ）フレーム体に栽培用プレートを挿入した際の斜視図である。
【図７】本考案の実施の形態２に係る水耕栽培用プランターの別のフレーム体に栽培用プレートを挿入した際の斜視図である。
【図８】本考案の実施の形態３に係る水耕栽培用プランターの長手方向に垂直な断面図であり、（ａ）栽培時と（ｂ）引寄せ時の養液面を表す図である。
【図９】本考案の実施の形態３に係る水耕栽培用プランターの別の養液槽の長手方向に垂直な断面図である。
【図１０】本考案の実施の形態４に係る水耕栽培用プランターの引寄せ用バーの斜視図である。
【考案を実施するための形態】
【００２５】
本考案に係る水耕栽培用プランターの構成およびその使用方法等に関して、以下において、図面を用いて説明する。なお、以下の説明は本考案に関する良好な一例を開示するものであり、本考案が当該実施の形態に限定されるものではない。
【００２６】
実施の形態１．
＜構成＞
図１から図３を用いて、本実施の形態の水耕栽培用プランターの構成を説明する。
図１は、水耕栽培用プランターの構成部品を示す図である。水耕栽培用プランターは、平面形状が略長方形状の養液槽１と、この養液槽１上に設置され、養液槽１の長手方向に並べられた複数の栽培用プレート２ａ、２ｂ、２ｃ、２ｄ、および２ｅと、養液槽１の長手方向の一端に設置された引寄せ用バー３と、この引寄せ用バー３に一端が固定され、上記養液槽１の長手方向の他端に届く長さである紐状体４とを基本的な構成部品として備えている。
【００２７】
養液槽１は、内部に養液を貯める空間を有し、図示しない溶液タンクから養液が供給され、そして、図示しない排水口から排水される図示しない養液供給排水系を備えている。養液槽１は、平面形状が略長方形状であることが一般的であり、製作コストや設置効率を考慮すると実用的である。ただし、長方形に必ず限定するものでは無く、多少の湾曲や一部の膨らみ等の変形を有する場合も、略長方形状に含むものとする。
【００２８】
複数の栽培用プレート２ａ、２ｂ、２ｃ、２ｄ、および２ｅ（以下、代表して「２」と記号を付す）は、図２に示すように、内部に植物１００を挿入可能な開口を有している。栽培用プレート２の材質としては、コスト低減の観点、および軽量化による作業性向上の観点から、発泡性樹脂等の脆弱なものが一般的に使用される。栽培用プレート２は、長方形のパネル状であり、大きさはハンドリングが容易な数十ｃｍ程度の大きさであり、例えば、６０ｃｍ×４０ｃｍ程度である。また、厚みは、植物１００が苗の時に根が養液に届くように薄くする必要がある。例えば、１ｃｍ〜２ｃｍである。
図においては、便宜上、栽培用プレート２を５枚としているが、例えば、２０枚程度であっても良い。
【００２９】
引寄せ用バー３は、例えば、直方体形状であり、栽培用プレートよりも機械強度が高い材質で作製されることが望ましい。例えば、ステンレスやアルミ等の金属、あるいは硬質の樹脂等が一例である。
引寄せ用バー３の栽培用プレート２ｅ側の側端面は、上記養液槽１の設置面に対して略垂直であることが望ましい。栽培用プレート２ｅの側端面と垂直面で当接し、養液槽１の設置面に対して平行に押すことができるためである。
また、引寄せ用バー３の養液槽１の短手方向の長さは、上記栽培用プレート２の上記養液槽１の短手方向の長さと略同一か長いことが望ましい。
【００３０】
紐状体４は、その一端が引寄せ用バー３に固定され、他端が養液槽１の長手方向の他端に届く長さである。
紐状体４は、例えばロープである。
紐状体４の一端と引寄せ用バー３の固定方法は、結束、接着、圧着等、どのような方法でも良い。強固に固定できる方法であれば良い。
【００３１】
次に、図３を用いて、水耕栽培用プランターの全体構成を説明する。
養液槽１上に、図において左から、引寄せ用バー３、そして、複数の栽培用プレート２が直列に並べられる。紐状体４は、栽培用プレート２の下側を通り、図３において右側に置かれた作業台５に他端が達する。作業台５近傍にいる作業者が、この紐状体４を引っ張ることで、すべての栽培用プレート２が引寄せられ、栽培用プレート２ａから順に作業台５に乗せて、植物１００の回収作業を行うことができる。
【００３２】
栽培用プレート２の総重量としては、破損が生じるため、これまでは１０ｋｇ程度しか引き寄せることができなかった。しかし、引寄せ用バー３を使用することで、総重量５０ｋｇの栽培用プレート２を引寄せても、栽培用プレート２に破損が生じなかった。このように、引寄せ用バー３の使用は、栽培用プレート２に対するダメージを抑制し、大型のプランターにおいても、引寄せによる収穫作業を可能とすることを確認できた。
【００３３】
＜力の伝達についての考察＞
次に、引寄せ用バー３を使用したときに、どのような力が栽培用プレート２に伝達されるかについて考察する。
図４は、引寄せ時に掛かる力の説明図である。上段の図は斜視図、中段の図は白抜き矢印Ｂ方向から見た引寄せ用バー３の側面図、下段の図は白抜き矢印Ｃ方向から見た引寄せバー３の他の側面図である。引寄せバー３に掛かる力は紐状体４からの張力Ｔであり、紐状体４が栽培用プレート２の下方を通る場合、この張力は養液槽１の設置面に平行な力Ｔｐだけではなく、養液槽１の設置面に垂直方向の力Ｔｖも含まれる。
【００３４】
下段の図に示すように、矢印Ｔｖで示す張力の垂直方向の力は、引寄せ用バー３を下方に押し下げる力である。下方に押し下げる力を受けた引寄せ用バー３は、その半分の力で養液槽１の左右の設置面それぞれを上から下に押し下げる。養液槽１の設置面からは、同じ大きさの反力で、引寄せ用バー３を上方に押し上げる。結果として、引寄せ用バー３には、紐状体４から押し下げる張力と、養液槽１の設置面から押し上げる反力とが働き、垂直方向の力は打ち消される。したがって、最終的には、張力Ｔの水平成分の力Ｔｐのみが引寄せ用バー３に働き、矢印Ａで示すように、養液槽１の設置面に（すなわち、栽培用プレート２の面に）平行な力のみが栽培用プレート２ｅに伝達される。したがって、栽培用プレート２ｅは圧縮力しか受けない。この圧縮力は大きな力であるが、すべての栽培用プレート２ａ〜２ｅ全体に分散されるため、いずれの栽培用プレート２も損傷を受けることはない。
【００３５】
引寄せる際には、図４下段の図に示すように、引寄せ用バー３の中央と両端に相反する方向の力が掛かるため、引寄せ用バー３をお椀状に曲げる大きな曲げ応力が生じるが、引寄せ用バー３を金属等の強固な材質で形成すれば、引寄せ用バー３が破損する心配は無い。
【００３６】
従来の引寄せ方法においては、最端部に位置する栽培用プレート２ｅに紐状体４を固定していたため、栽培用プレート２ｅをお椀状に曲げる大きな曲げ応力が生じ、栽培用プレート２ｅを破損する等の重大な問題が発生していた。
なお、紐状体４の結び目等の固定個所を栽培用プレート２ｅの下方に設ければ、紐状体４からの張力Ｔは平行成分だけ生じるので、栽培用プレート２ｅが破損する等の問題は起こらなかいようにも思える。しかし、重量物である複数の栽培用プレート２ｅを引寄せるためには、ある程度の垂直な力で、栽培用プレート２ｅを養液槽１の設置面に押し付ける必要がある。そうしなければ、栽培用プレート２ｅが浮き上がったりすることで、正常に引寄せを行うことができないためである。したがって、作業者が意識的に紐状体４を下方斜めに引く等により、栽培用プレート２ｅを養液槽１の設置面に押し付け、それにより、栽培用プレート２ｅには大きな曲げ応力が掛かることが避けられなかった。
また、紐状体の固定個所を栽培用プレート２ｅの両側面等に設けることも考えられるが、その場合には、栽培用プレート２ｅには両側面に大きなせん断力が掛かるため、やはり、栽培用プレート２ｅには同様に大きなダメージが生じる。すなわち、大きな平行な力が、栽培用プレート２ｅに圧縮力として働かず、両側面のみに掛かる大きなせん断力となるため、栽培用プレート２ｅへのダメージを軽減することはできなかった。
【００３７】
なお、紐状体４の引寄せ用バー３への固定個所であるが、紐状体４を１本だけ使用する際には、図４のように、引寄せ用バー３の中央が良い。紐状体４を２本使用する際には、図５に示すように、引寄せ用バー３の両端近傍にそれぞれの紐状体４を固定するのが良い。そして、それぞれの紐状体４を栽培用プレート２の左右の側面側から引っ張るようにしても良い。
【００３８】
＜本実施の形態のまとめ＞
以上のように、本実施の形態に係る水耕栽培用プランターは、収穫の際に栽培用プレートを引寄せて植物の回収を行うものである。栽培用プレートを順次引寄せることで、栽培した植物を一か所で回収することが可能となり、収穫時の作業効率が大幅に向上する。また、栽培用プレートを上下複数段に配置した場合であっても、高所作業を安全に実施可能であり、さらに、作業スペースを不要にして各列を互いに密に並べることができるため、スペースの利用効率を大きく高めることができる。
【００３９】
一方、栽培用プレートが破損したり、あるいはダメージが蓄積して使用できる寿命が短期間化したりするという課題があった。そこで、栽培用プレートではなく、引寄せ用バーに紐状体を固定することで、この課題を解決できた。
具体的には、引寄せの際に栽培用プレートに生じる力は、栽培用プレート面に平行な圧縮力がほとんどであり、したがって、その力はすべての栽培用プレートに分散し、栽培用プレートへのダメージを抑制することができた。
【００４０】
また、従来の構成に引き寄せバーを追加するだけの構成であり、装置コストの上昇がわずかである。さらに、栽培用プレートに紐状体を固定する必要がないため、収穫作業、栽培パネルの洗浄作業、および栽培用プレートの設置作業が容易になるという特長も有している。
【００４１】
実施の形態２．
栽培用プレートに掛かる力を大きく分散させる手段として、図６に示すように、栽培用プレート２を挿入できるフレーム体３ａを用いることも有効である。少なくとも、栽培用プレート２の３辺を取り囲むことで、紐状体から掛かる力を栽培用プレート２の全面に分散することが可能となる。また、図７に示すように、４辺を取り囲むようにすれば、さらに強度が向上する。
そして、フレーム体であるため、プレート開口２１は使用可能であり、植物の栽培は通常通り行うことが可能である。
【００４２】
このフレーム体３ａ、および３ｂと組合せたものは、それ自体に紐状体４を固定しても良い。あるいは、フレーム体３ａ、および３ｂと組合せたもの自体には紐状体４を固定せずに、実施の形態１で示した引寄せ用バー３とともに使用することも可能である。
【００４３】
実施の形態３．
本実施の形態に係る水耕栽培用プランターは、養液槽の断面形状が実施の形態１とは異なる。図８に養液槽１ａの長手方向に垂直な断面形状を示す。このように、養液槽１ａは台形形状をしている。
【００４４】
そして、栽培時においては、栽培用プレート２を図８（ａ）のように配置する。養液面Ｃと栽培用プレート２の間には空気層がある。
一方、栽培用プレート２を引寄せて収穫する際には、養液槽１ａの液量を増加させて上記複数の栽培用プレートを浮かせることで、小さな力で引寄せることを可能にしている。
【００４５】
養液槽の断面形状としては、台形形状では無く、図９に示すような形状であっても良い。すなわち、養液槽としては、平面形状が略長方形状であり、且つその長手方向に垂直な断面形状の上方部分が上に開いた形状であれば良い。
複数の栽培用プレート２は、この養液槽の上部部分に、長手方向に並べて配置される。
【００４６】
本実施の形態に係る水耕栽培用プランターは、上記のように構成されているので、栽培用プレートを引寄せて収穫する際には、養液槽の液量を増加させて上記複数の栽培用プレートを浮かせることで、小さな力で引寄せることを可能にしている。
【００４７】
複数の栽培用プレートを浮かせた場合には、栽培用プレートの列が乱れやすく、そのため、レールやガイドを設けることが必要である。しかし、レールやガイドを設けた場合には、養液槽に凹凸の形状や隙間を設けることになり、害虫の温床となるという大きな問題が生じる。
しかし、図８や図９のような形状の養液槽においては、断面をほぼ直線のみで形成可能であり、且つ、その断面形状自体が栽培用プレートの位置を規定するガイドの役割を果たすことができる。したがって、養液槽に凹凸の形状や隙間を設ける必要が無いため、栽培する植物の断片等が溜まったり、それにより大量の害虫や細菌が発生したりといった管理上の大きな問題が生じないという大きな利点がある。
【００４８】
実施の形態４．
本実施の形態に係る水耕栽培用プランターと、実施の形態１に係る水耕栽培用プランターとの相違点は、引寄せバーが、図１０に示す形状の引寄せバー３ｃに変更されたことである。引寄せバー３ｃには、実施の形態１における引寄せバー３に、バー下部３０が追加されている。
【００４９】
このバー下部３０は、高さＨが、養液槽１の深さにほぼ一致するか、少しだけ小さくなっている。また、幅Ｗが養液槽１の内面の幅にほぼ一致するか、少しだけ小さくなっている。したがって、引寄せバー３ｃを養液槽１上に設置した際には、バー下部３０の底面が、養液槽１の底面に略当接する。また、バー下部３０の側面が、養液槽１の側面に略当接する。そして、例えば、バー下部３０の底面や側面にスポンジや布、使い捨てのふき取り用ペーパーを設けてやれば、栽培用プレートの引寄せ作業を行うと同時に、養液槽１の内面をふき取り、清掃を行うことができる。
【００５０】
また、バー下部３０は、引寄せ作業を行う際のガイドとしても機能し、引寄せバー３ｃを確実に、真っ直ぐに引寄せることができる。
【００５１】
なお、本考案は、養液槽上に複数の栽培用プレートを直列に配置した際に、栽培用プレートを引寄せて収穫を行う水耕栽培用プランターに関するものであるが、例えば、略長方形状の台に、複数の苗箱を直列に並べた栽培システムにも、同様に応用可能である。なお、苗箱とは、例えば、内部にウレタン等の培地を設け、その培地に水分を与えることで、培地で植物を生育させるためのプランターである。
【符号の説明】
【００５２】
１、１ａ、１ｂ  養液槽
２、２ａ、２ｂ、２ｃ、２ｄ、２ｅ  栽培用プレート
２１  プレート用開口
３  引寄せ用バー
３ａ、３ｂ  フレーム体
４  紐状体
５  作業台
６  側溝
１００  植物
Ａ  引寄せ用バーから栽培用プレートへの押圧力
Ｂ  紐状体の張力により、引寄せ用バーに生じるモーメント
Ｃ  養液面
【図１】
0003207010.tif 000003
【図２】
0003207010.tif 000004
【図３】
0003207010.tif 000005
【図４】
0003207010.tif 000006
【図５】
0003207010.tif 000007
【図６】
0003207010.tif 000008
【図７】
0003207010.tif 000009
【図８】
0003207010.tif 000010
【図９】
0003207010.tif 000011
【図１０】
0003207010.tif 000012
【手続補正書】
【提出日】平成28年8月12日(2016.8.12)
【手続補正１】
【補正対象書類名】実用新案登録請求の範囲
【補正対象項目名】全文
【補正方法】変更
【補正の内容】
【実用新案登録請求の範囲】
【請求項１】
平面形状が略長方形状の養液槽と、
当該養液槽上に設置され、当該養液槽の長手方向に並べられた複数の植物を挿入できる開口を有する栽培用プレートと、
上記養液槽の長手方向の一端に設置された上記栽培用プレートを挿入したフレーム体と、
当該フレーム体に一端が固定され、上記養液槽の長手方向の他端に届く長さである紐状体と、
を有する水耕栽培用プランター。
【請求項２】
上記フレーム体は、４辺のうち、隣接する上記栽培用プレート側が開放されたことを特徴とする請求項１に記載の水耕栽培用プランター。